(57)【特許請求の範囲】
【請求項１】
第１外装カバーで覆われた第１画像形成装置、および、第２外装カバーで覆われた第２画像形成装置にそれぞれ用いられる画像形成装置の外装カバーであって、
前記第１外装カバーと前記第２外装カバーとは材料が異なり、
前記第１外装カバーは、第１Ａ構成カバー、および、第２Ａ構成カバーを含み、
前記第２外装カバーは、第１Ｂ構成カバー、および、第２Ｂ構成カバーを含み、
前記第１Ａ構成カバー、および、前記第１Ｂ構成カバーの外観形状は同じであり、
前記第２Ａ構成カバー、および、前記第２Ｂ構成カバーの外観形状も同じであり、
前記第１Ａ構成カバー、および、前記第１Ｂ構成カバーの内観形状において、相互に形状が異なる領域を有し、
前記第２Ａ構成カバー、および、前記第２Ｂ構成カバーの内観形状においても、相互に形状が異なる領域を有することにより、
前記第１Ａ構成カバーに第２Ｂ構成カバーを組み合わせて、前記第１外装カバーまたは前記第２外装カバーとして用いることはできず、
前記第１Ｂ構成カバーに第２Ａ構成カバーを組み合わせて、前記第１外装カバー、および、前記第２外装カバーとして用いることはできない、
画像形成装置の外装カバー。
【請求項２】
前記第１Ａ構成カバーと前記第２Ａ構成カバーとは相互の端部が突き合わされるように用いられ、
前記第１Ｂ構成カバーと前記第２Ｂ構成カバーとは相互の端部が突き合わされるように用いられ、
前記第１Ａ構成カバーと前記第２Ａ構成カバーとの突き合わせ部における内観形状、または、前記第１Ｂ構成カバーと前記第２Ｂ構成カバーとの突き合わせ部における内観形状のいずれか一方の突き合わせ部には相互に嵌合する凹凸部が設けられており、いずれか他方の突き合わせ部には相互に嵌合する凹凸部が設けられていない、
請求項１に記載の画像形成装置の外装カバー。
【請求項３】
前記第１Ａ構成カバーと前記第２Ａ構成カバーとは相互に重ね合わされるように用いられ、
前記第１Ｂ構成カバーと前記第２Ｂ構成カバーとは相互に重ね合わされるように用いられ、
前記第１Ａ構成カバーと前記第２Ａ構成カバーとの重ね合わせ部における内観形状においては、一方に孔、他方に前記孔に嵌合する突起が設けられ、
前記第１Ｂ構成カバーと前記第２Ｂ構成カバーとの重ね合わせ部における内観形状においても、一方に孔、他方に前記孔に嵌合する突起が設けられ、
前記第１外装カバーの前記孔、および、前記突起が設けられる位置と、前記第２外装カバーの前記孔、および、前記突起が設けられる位置とは異なる位置である、
請求項１に記載の画像形成装置の外装カバー。
【請求項４】
前記第１Ａ構成カバーと前記第２Ａ構成カバーとは相互の端部が突き合わされるように用いられ、
前記第１Ｂ構成カバーと前記第２Ｂ構成カバーとは相互の端部が突き合わされるように用いられ、
前記第１Ａ構成カバーと前記第２Ａ構成カバーとの突き合わせ部における内観形状においては、突き合わせ部には相互に嵌合する凹凸部が設けられており、
前記第１Ｂ構成カバーと前記第２Ｂ構成カバーとの突き合わせ部における内観形状においても、突き合わせ部には相互に嵌合する凹凸部が設けられており、
前記第１外装カバーの前記凹凸部の形状と、前記第２外装カバーの前記凹凸部の形状とは異なる形状である、
請求項１に記載の画像形成装置の外装カバー。
【請求項５】
前記第１外装カバーの内観形状において、複数の補強リブが設けられ、
前記第２外装カバーの内観形状においも、複数の補強リブが設けられ、
前記第１外装カバーの材料強度は、前記第２外装カバーの材料強度よりも弱く、
前記第１外装カバーに設けられる前記補強リブの数量は、前記第２外装カバーに設けられる前記補強リブの数量よりも多く設けられている、
請求項１に記載の画像形成装置の外装カバー。
【請求項６】
前記第１外装カバーと前記第２外装カバーとに用いられる材料、いずれか一方は再生樹脂材料が用いられ、いずれか他方は、非再生樹脂材料が用いられている、
請求項１から請求項５にいずれか１項に記載の画像形成装置の外装カバー。
【請求項７】
前記第１外装カバーに表示される刻印と、前記第２外装カバーに表示される刻印とは異なっている、
請求項１から請求項６にいずれか１項に記載の画像形成装置の外装カバー。
【請求項８】
前記第１Ａ構成カバー、および、前記第１Ｂ構成カバーは、
同じ形状の本体樹脂成型金型と、前記第１Ａ構成カバー、および、前記第１Ｂ構成カバーの形状の相違箇所についてのみ取りかえ可能な入れ子とが用いられて成型されており、
前記第２Ａ構成カバー、および、前記第２Ｂ構成カバーは、
同じ形状の本体樹脂成型金型と、前記第２Ａ構成カバー、および、前記第２Ｂ構成カバーの形状の相違箇所についてのみ取りかえ可能な入れ子とが用いられて成型されている、
請求項１から請求項７のいずれか１項に記載の画像形成装置の外装カバー。
【発明の詳細な説明】
【技術分野】
【０００１】
本発明は、複写機やプリンタなどの画像形成装置の外装カバーに関する。
【背景技術】
【０００２】
電子写真複写機、レーザービームプリンタ等の画像形成装置においては、紙媒体（シート）へ画像を形成するプロセスとして電子写真方式が採用されている。電子写真方式においては、記録媒体である感光体上に可視像であるトナー画像を形成し、これを普通紙等の紙媒体上に転写する。この紙媒体上のトナー画像を永久像としてシート上に保持させるために、たとえば加熱定着装置を通過させることでトナーを定着したのち、紙媒体を画像形成装置外へと排出する。
【０００３】
このような画像形成装置においては、近年、画像形成装置に対する環境への対応要求が高まっている。たとえば、リサイクル、リユースしやすくするために使用後解体をしやすくする形状を備える技術が、特開平９−２３６９６１号公報（特許文献１）に開示されている。前任機種との部品の共通化を図ることで新規部品を安易に増やさない技術が、特開２０００−１０８１４６号公報（特許文献２）に開示されている。交換部品の寿命時期ごとに部位をまとめ、不要に廃棄しない（リデュース）技術が、特開２００２−２２１８４７号公報（特許文献３）に開示されている。
【先行技術文献】
【特許文献】
【０００４】
【特許文献１】特開平９−２３６９６１号公報
【特許文献２】特開２０００−１０８１４６号公報
【特許文献３】特開２００２−２２１８４７号公報
【発明の概要】
【発明が解決しようとする課題】
【０００５】
上述のような環境の中で、画像形成装置に使われる部品の材料自体を再生樹脂材に変更する場合、従来では、使うことだけのアピールであったのに対し、再生樹脂材の使用量を増やし、環境負荷を軽減していくことも必要になってきている。
【０００６】
今後、前任機に対して、その後継機から再生樹脂材、その他の異なる材料の適用を増やしていくことが想定されるが、画像形成装置の外観デザインは継承することが考えられる。この場合に、前任機と後継機との間において、外装カバーに新旧部品が混在する場合は、外装カバーの搭載時に外装カバーの搭載間違いが発生することが懸念される。
【０００７】
本発明の目的は、上記課題に鑑みてなされたものであり、外観形状が同じ２種の画像形成装置の外装カバーにおいて、外装カバーの搭載間違いの発生を防止する構造を備えた画像形成装置の外装カバーを提供することを目的とする。
【課題を解決するための手段】
【０００８】
この発明の画像形成装置は、第１外装カバーで覆われた第１画像形成装置、および、第２外装カバーで覆われた第２画像形成装置にそれぞれ用いられる画像形成装置の外装カバーであって、上記第１外装カバーと上記第２外装カバーとは材料が異なり、上記第１外装カバーは、第１Ａ構成カバー、および、第２Ａ構成カバーを含み、上記第２外装カバーは、第１Ｂ構成カバー、および、第２Ｂ構成カバーを含み、上記第１Ａ構成カバー、および、上記第１Ｂ構成カバーの外観形状は同じであり、上記第２Ａ構成カバー、および、上記第２Ｂ構成カバーの外観形状も同じであり、上記第１Ａ構成カバー、および、上記第１Ｂ構成カバーの内観形状において、相互に形状が異なる領域を有し、上記第２Ａ構成カバー、および、上記第２Ｂ構成カバーの内観形状においても、相互に形状が異なる領域を有することにより、上記第１Ａ構成カバーに第２Ｂ構成カバーを組み合わせて、上記第１外装カバーまたは上記第２外装カバーとして用いることはできず、上記第１Ｂ構成カバーに第２Ａ構成カバーを組み合わせて、上記第１外装カバー、および、上記第２外装カバーとして用いることはできない。
【０００９】
他の形態においては、上記第１Ａ構成カバーと上記第２Ａ構成カバーとは相互の端部が突き合わされるように用いられ、上記第１Ｂ構成カバーと上記第２Ｂ構成カバーとは相互の端部が突き合わされるように用いられ、上記第１Ａ構成カバーと上記第２Ａ構成カバーとの突き合わせ部における内観形状、または、上記第１Ｂ構成カバーと上記第２Ｂ構成カバーとの突き合わせ部における内観形状のいずれか一方の突き合わせ部には相互に嵌合する凹凸部が設けられており、いずれか他方の突き合わせ部には相互に嵌合する凹凸部が設けられていない。
【００１０】
他の形態においては、上記第１Ａ構成カバーと上記第２Ａ構成カバーとは相互に重ね合わされるように用いられ、上記第１Ｂ構成カバーと上記第２Ｂ構成カバーとは相互に重ね合わされるように用いられ、上記第１Ａ構成カバーと上記第２Ａ構成カバーとの重ね合わせ部における内観形状においては、一方に孔、他方に上記孔に嵌合する突起が設けられ、上記第１Ｂ構成カバーと上記第２Ｂ構成カバーとの重ね合わせ部における内観形状においても、一方に孔、他方に上記孔に嵌合する突起が設けられ、上記第１外装カバーの上記孔、および、上記突起が設けられる位置と、上記第２外装カバーの上記孔、および、上記突起が設けられる位置とは異なる位置である。
【００１１】
他の形態においては、上記第１Ａ構成カバーと上記第２Ａ構成カバーとは相互の端部が突き合わされるように用いられ、上記第１Ｂ構成カバーと上記第２Ｂ構成カバーとは相互の端部が突き合わされるように用いられ、上記第１Ａ構成カバーと上記第２Ａ構成カバーとの突き合わせ部における内観形状においては、突き合わせ部には相互に嵌合する凹凸部が設けられており、上記第１Ｂ構成カバーと上記第２Ｂ構成カバーとの突き合わせ部における内観形状においても、突き合わせ部には相互に嵌合する凹凸部が設けられており、上記第１外装カバーの上記凹凸部の形状と、上記第２外装カバーの上記凹凸部の形状とは異なる形状である。
【００１２】
他の形態においては、上記第１外装カバーの内観形状において、複数の補強リブが設けられ、上記第２外装カバーの内観形状においも、複数の補強リブが設けられ、上記第１外装カバーの材料強度は、上記第２外装カバーの材料強度よりも弱く、上記第１外装カバーに設けられる上記補強リブの数量は、上記第２外装カバーに設けられる上記補強リブの数量よりも多く設けられている。
【００１３】
他の形態においては、上記第１外装カバーと上記第２外装カバーとに用いられる材料、いずれか一方は再生樹脂材料が用いられ、いずれか他方は、非再生樹脂材料が用いられている。
【００１４】
他の形態においては、上記第１外装カバーに表示される刻印と、上記第２外装カバーに表示される刻印とは異なっている。
【００１５】
他の形態においては、上記第１Ａ構成カバー、および、上記第１Ｂ構成カバーは、同じ形状の本体樹脂成型金型と、上記第１Ａ構成カバー、および、上記第１Ｂ構成カバーの形状の相違箇所についてのみ取りかえ可能な入れ子とが用いられて成型されており、上記第２Ａ構成カバー、および、上記第２Ｂ構成カバーは、同じ形状の本体樹脂成型金型と、上記第２Ａ構成カバー、および、上記第２Ｂ構成カバーの形状の相違箇所についてのみ取りかえ可能な入れ子とが用いられて成型されている。
【発明の効果】
【００１６】
この発明においては、外観形状が同じ２種の画像形成装置の外装カバーにおいて、外装カバーの搭載間違いの発生を防止する構造を備えた画像形成装置の外装カバーを提供することを可能とする。
【図面の簡単な説明】
【００１７】
【図１】実施の形態における第１および第２画像形成装置の全体構成を示す正面側から見た模式図である。
【図２】実施の形態における第１および第２画像形成装置の左側面側から見た第１部分斜視図である。
【図３】実施の形態における第１および第２画像形成装置の左側面側から見た第２部分斜視図である。
【図４】実施の形態における第１および第２画像形成装置の左側面側から見た第３部分斜視図である。
【図５】実施の形態における第１画像形成装置のスキャナー部側面外装カバー、および、上部側面柱外装カバーの突き合わせ部を内観視した図である。
【図６】実施の形態における第２画像形成装置のスキャナー部側面外装カバー、および、上部側面柱外装カバーの突き合わせ部を内観視した図である。
【図７】実施の形態における第１および第２画像形成装置のスキャナー部の斜視図である。
【図８】実施の形態における第１画像形成装置のスキャナー部の画像読取面縦外装カバー、および、画像読取面横外装カバーの突き合わせ部を内観視した図である。
【図９】実施の形態における第２画像形成装置の画像読取部の画像読取面縦外装カバー、および、画像読取面横外装カバーの突き合わせ部を内観視した図である。
【図１０】実施の形態における第１および第２画像形成装置の中間部側面外装カバー、および、中間部側面柱外装カバーの重ね合わせ部を外観視した図である。
【図１１】実施の形態における第１および第２画像形成装置の中間部側面外装カバー、および、中間部側面柱外装カバーの重ね合わせ部を内観視した図である。
【図１２】実施の形態における第１画像形成装置の中間部側面外装カバー、および、中間部側面柱外装カバーの重ね合わせ部を内観視した図である。
【図１３】実施の形態における第２画像形成装置の中間部側面外装カバー、および、中間部側面柱外装カバーの重ね合わせ部を内観視した図である。
【図１４】実施の形態における第１および第２画像形成装置の左側面側から見た第４部分斜視図である。
【図１５】図１４において、排出用紙保持台を取り外した状態を示す部分斜視図である。
【図１６】図１５において、第１中間部側面外装カバーを取り外した状態を示す部分斜視図である。
【図１７】実施の形態における第１画像形成装置の排出用紙天面外装カバー、および、第２中間部側面外装カバーの突き合わせ部を外観視した図である。
【図１８】実施の形態における第２画像形成装置の排出用紙天面外装カバー、および、第２中間部側面外装カバーの突き合わせ部を外観視した図である。
【図１９】実施の形態における第１および第２画像形成装置の正面開閉外装パネル、および、第１中間部側面外装カバーを示す斜視図である。
【図２０】実施の形態における第１および第２画像形成装置の正面開閉外装パネル、および、第１中間部側面外装カバーのみを取りだした外観斜視図である。
【図２１】実施の形態における第１、および、第２画像形成装置の正面開閉外装パネル、および、第１中間部側面外装カバーのみを取りだした内観斜視図である。
【図２２】実施の形態における第１画像形成装置の正面開閉外装パネル、および、第１中間部側面外装カバーのみを取りだした内観斜視図である。
【図２３】実施の形態における第２画像形成装置の正面開閉外装パネル、および、第１中間部側面外装カバーのみを取りだした内観斜視図である。
【図２４】（Ａ）は、第１画像形成装置側の部品に付される刻印を示す図であり、（Ｂ）は、第２画像形成装置側の部品に付される刻印を示す図である。
【図２５】実施の形態における上部側面柱外装カバーを樹脂射出成型を用いて成型する際に用いられる金型である。
【図２６】実施の形態における上部側面柱外装カバーを樹脂射出成型を用いて成型する際に用いられる金型である。
【発明を実施するための形態】
【００１８】
本発明に基づいた実施の形態における画像形成装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。また、図面においては、実際の寸法の比率に従って図示しておらず、構造の理解を容易にするために、構造が明確となるように比率を変更して図示している箇所がある。
【００１９】
［画像形成装置１００］
図１を参照して、本実施の形態における画像形成装置１００の概略構成について説明する。図１は、実施の形態における画像形成装置１００の全体構成を示す正面側から見た模式図である。
【００２０】
この画像形成装置１００は、プリント、もしくは複写の要求を受け付けると、記録紙が給紙部の給紙カセット１０２，１０３，１０４、または、手差しトレイ１１６から給紙ローラー１０５により、装置本体１０１に搬送される。記録紙の搬送タイミングを制御するレジストローラー１１０により搬送タイミングが制御され、記録紙通紙搬送経路ＰＲへ供給される。
【００２１】
イエロー、マゼンダ、シアン、および、ブラックの４色のイメージングユニットは、それぞれ感光体ユニット１０８Ｙ，１０８Ｍ，１０８Ｃ，１０８Ｋと現像器ユニット１０７Ｙ，１０７Ｍ，１０７Ｃ，１０７Ｋから構成される。感光体ユニット１０８Ｙ，１０８Ｍ，１０８Ｃ，１０８Ｋは、光導電性を有する円筒状の感光体の周囲に、帯電装置、クリーナ装置、および、除電装置等が配置されている。帯電装置は回転駆動される感光体を帯電させるための機器でこの帯電装置により感光体の表面電位は所定の帯電電位となる。
【００２２】
帯電装置は帯電装置により所定の帯電電位に帯電された感光体に対してプリント、もしくは複写要求のあった画像情報に基づいた露光用ビームを照射する。この露光用ビームの光源としては主にＬＤ（Ｌａｓｅｒ  Ｄｉｏｄｅ：レーザーダイオード）が使用されている。
【００２３】
感光体表面にビームが照射された部分の表面電位は、感光体が有する光導電性により所定のレベルまで減少する。この感光体表面の表面電位が変化することにより、帯電装置によって露光がなされた感光体表面には、プリント、もしくは複写要求のあった画像に基づいた静電潜像が形成される。
【００２４】
感光体表面に形成された静電潜像は、現像器ユニット１０７Ｙ，１０７Ｍ，１０７Ｃ，１０７Ｋにより現像され、中間転写ベルト１０９上に１次転写される。その後、中間転写ベルト１０９へ圧接された２次転写ローラー１１２において記録紙通紙搬送経路ＰＲに沿って通紙されてきた記録紙へイエロー、マゼンダ、シアン、および、ブラックの４色が一括して転写される。トナー画像が転写された記録紙は、定着部１１３によりトナー画像が定着され、排紙トレイ１１４に排出される。
【００２５】
本実施の形態における画像形成装置１００の装置本体１０１の下方には、各種サイズの記録紙が収容される３つの給紙カセット１０２，１０３，１０４が配置されている。一般的に、電子写真複写機、レーザービームプリンタ等の画像形成装置では下段に位置する給紙カセットは用紙補充用として扱われるため、記録紙の収容枚数が大きい給紙カセットが配置される場合が多い。
【００２６】
本実施の形態においても、上側に位置する給紙カセット１０２、１０３は、小容量の記録紙が蓄積される給紙カセットであり、最下段に位置する給紙カセット１０４は、給紙カセット１０２、１０３よりも記録紙の収容枚数が大きい給紙カセット、または、サイズの大きな記録紙が収容される給紙カセットである。
【００２７】
上記構成を備える画像形成装置１００においては、前任機と後継機との間において、外装カバーの外観形状は同じであるが、使用材料を異ならせたような新旧部品が混在する場合がある。この場合に、外装カバーの搭載時に外装カバーの搭載間違いが発生することは回避しなければならない。以下、外装カバーの搭載間違いの発生を防止する構造を備えた画像形成装置の外装カバーについて説明する。
【００２８】
なお、以下では、前任機と後継機との共通の外観を説明する際には、同一の図面を用いて画像形成装置の説明を行ない、前任機と後継機との構造において、内観視の構造が異なる場合には、前任機の画像形成装置を第１画像形成装置、後継機の画像形成装置を第２画像形成装置と称して説明することとする。
【００２９】
以下に説明する本実施の形態の画像形成装置１００の外装カバーは、第１外装カバーで覆われた第１画像形成装置、および、第２外装カバーで覆われた第２画像形成装置にそれぞれ用いられる画像形成装置の外装カバーである。
【００３０】
第１外装カバーと第２外装カバーとは材料が異なり、第１外装カバーは、第１Ａ構成カバー、および、第２Ａ構成カバーを含み、第２外装カバーは、第１Ｂ構成カバー、および、第２Ｂ構成カバーを含み、第１Ａ構成カバー、および、第１Ｂ構成カバーの外観形状は同じであり、第２Ａ構成カバー、および、第２Ｂ構成カバーの外観形状も同じである。
【００３１】
第１Ａ構成カバー、および、第１Ｂ構成カバーの内観形状において、相互に形状が異なる領域を有し、第２Ａ構成カバー、および、第２Ｂ構成カバーの内観形状においても、相互に形状が異なる領域を有している。
【００３２】
これにより、第１Ａ構成カバーに第２Ｂ構成カバーを組み合わせて、第１外装カバーまたは第２外装カバーとして用いることはできず、第１Ｂ構成カバーに第２Ａ構成カバーを組み合わせて、第１外装カバー、および、第２外装カバーとして用いることもできない。
【００３３】
［スキャナー部側面外装カバー、および、上部側面柱外装カバー］
図２から図６を参照して、スキャナー部側面外装カバー、および、上部側面柱外装カバーの構造について説明する。図２から図４は、第１および第２画像形成装置の左側面側から見た第１から第３部分斜視図、図５は、第１画像形成装置のスキャナー部側面外装カバー１０１Ａ、および、上部側面柱外装カバー１０２Ａの突き合わせ部を内観視した図、図６は、第２画像形成装置のスキャナー部側面外装カバー１０１Ｂ、および、上部側面柱外装カバー１０２Ｂの突き合わせ部を内観視した図である。
【００３４】
スキャナー部側面外装カバー１０１Ａが第１Ａ構成カバーに相当し、上部側面柱外装カバー１０２Ａが第２Ａ構成カバーに相当し、両者により第１外装カバーを構成する。スキャナー部側面外装カバー１０１Ｂが第１Ｂ構成カバーに相当し、上部側面柱外装カバー１０２Ｂが第２Ｂ構成カバーに相当し、両者により第２外装カバーを構成する。
【００３５】
たとえば、第１外装カバー（スキャナー部側面外装カバー１０１Ａ、および、上部側面柱外装カバー１０２Ａ）は、樹脂（非再生樹脂）が用いられ、第２外装カバー（スキャナー部側面外装カバー１０１Ｂ、および、上部側面柱外装カバー１０２Ｂ）には、再生樹脂材（リサイクル樹脂）が用いられる。よって、第１外装カバーと第２外装カバーとには、異なる材料が用いられている。再生樹脂材（リサイクル樹脂）としては、再生ＰＥＴにＰＣ（ポリカーボネート）を組み合わせた樹脂（再生ＰＣ／ＰＥＴ）が挙げられる。
【００３６】
図２から図４を参照して、第１画像形成装置と第２画像形成装置とにおいては、スキャナー部側面外装カバー１０１Ａとスキャナー部側面外装カバー１０１Ｂとは外観において同一の形状を有し、上部側面柱外装カバー１０２Ａと上部側面柱外装カバー１０２Ｂとは同一の外観形状を有している。図示に現れる他の外装カバーについては、追って説明する。
【００３７】
図５を参照して、第１画像形成装置のスキャナー部側面外装カバー１０１Ａと上部側面柱外装カバー１０２Ａとの内観視における構造について説明する。スキャナー部側面外装カバー１０１Ａの内面には、リブ１０１ａ、および、リブ１０１ｂが設けられ、リブ１０１ａとリブ１０１ｂとの間には隙間Ｓが設けられている。また、リブ１０１ｂには、下方に延びる凸部１０１ｃが設けられている。
【００３８】
一方、上部側面柱外装カバー１０２Ａの上端部には、スキャナー部側面外装カバー１０１Ａの内面に回り込む段部１０２ｐが設けられ、この段部１０２ｐには、スキャナー部側面外装カバー１０１Ａの隙間Ｓに入り込む凸部１０２ａと、凸部１０１ｃを受け入れる凹部１０２ｂとが設けられている。その結果、図５に示すように、第１画像形成装置において、スキャナー部側面外装カバー１０１Ａと上部側面柱外装カバー１０２Ａとには、相互の嵌合する凹部が設けられることにより、両者の端部での突き合わせが可能な構造になっている。
【００３９】
図６を参照して、第２画像形成装置のスキャナー部側面外装カバー１０１Ｂと上部側面柱外装カバー１０２Ｂとの内観視における構造について説明する。スキャナー部側面外装カバー１０１Ｂの端部にリブ１０１ａは形成されているが、隙間は設けられていない。また、上部側面柱外装カバー１０２Ｂには、段部１０２ｐは設けられているが、凹凸は形成されていない。その結果、図６に示すように、第２画像形成装置において、スキャナー部側面外装カバー１０１Ｂと上部側面柱外装カバー１０２Ｂとは、両者の端部での突き合わせが可能な構造になっている。
【００４０】
ここで、スキャナー部側面外装カバー１０１Ａと上部側面柱外装カバー１０２Ｂとを組み合わせたとしても、凸部１０２ａが段部１０２ｐに当接し、スキャナー部側面外装カバー１０１Ａと上部側面柱外装カバー１０２Ｂとを組み合わせて、第１外装カバーまたは第２外装カバーとして用いることはできない。
【００４１】
同様に、スキャナー部側面外装カバー１０１Ｂと上部側面柱外装カバー１０２Ａとを組み合わせたとしても、凸部１０１ｃがリブ１０１ａに当接し、スキャナー部側面外装カバー１０１Ｂと上部側面柱外装カバー１０２Ａとを組み合わせて、第１外装カバーまたは第２外装カバーとして用いることはできない。
【００４２】
このようにして、外観形状が同じ２種の画像形成装置の第１外装カバー、および、第２外装カバーにおいて、外装カバーの搭載間違いの発生を防止することが可能となる。
【００４３】
［画像読取面縦外装カバー、および、画像読取面横外装カバー］
図７から図９を参照して、画像読取面縦外装カバー、および、画像読取面横外装カバーの構造について説明する。図７は、第１および第２画像形成装置のスキャナー部１４０の斜視図、図８は、第１画像形成装置のスキャナー部の画像読取面縦外装カバー２０１Ａ、および、画像読取面横外装カバー２０２Ａの突き合わせ部を内観視した図、図９は、第２画像形成装置の画像読取部の画像読取面縦外装カバー２０１Ｂ、および、画像読取面横外装カバー２０２Ｂの突き合わせ部を内観視した図である。
【００４４】
画像読取面縦外装カバー２０１Ａが第１Ａ構成カバーに相当し、画像読取面横外装カバー２０２Ａが第２Ａ構成カバーに相当し、両者により第１外装カバーを構成する。画像読取面縦外装カバー２０１Ｂが第１Ｂ構成カバーに相当し、画像読取面横外装カバー２０２Ｂが第２Ｂ構成カバーに相当し、両者により第２外装カバーを構成する。
【００４５】
たとえば、第１外装カバー（画像読取面縦外装カバー２０１Ａ、および、画像読取面横外装カバー２０２Ａ）は、樹脂（非再生樹脂）が用いられ、第２外装カバー（画像読取面縦外装カバー２０１Ｂ、および、画像読取面横外装カバー２０２Ｂ）には、再生樹脂材（リサイクル樹脂）が用いられる。よって、第１外装カバーと第２外装カバーとには、異なる材料が用いられている。再生樹脂材（リサイクル樹脂）としては、再生ＰＥＴにＰＣ（ポリカーボネート）を組み合わせた樹脂（再生ＰＣ／ＰＥＴ）が挙げられる。
【００４６】
図７から図９を参照して、第１画像形成装置と第２画像形成装置とにおいては、画像読取面縦外装カバー２０１Ａと画像読取面縦外装カバー２０１Ｂとは外観において同一の形状を有し、画像読取面横外装カバー２０２Ａと画像読取面横外装カバー２０２Ｂとは同一の外観形状を有している。
【００４７】
図８を参照して、画像読取面縦外装カバー２０１Ａ、および、画像読取面横外装カバー２０２Ａとの内観視における構造について説明する。画像読取面縦外装カバー２０１Ａの端部２０１ｐには、凸部２０１ａ、および、凹部２０１ｂが設けられている。また、画像読取面横外装カバー２０２Ａの端部２０２ｐには、上記凸部２０１ａが嵌合する凹部２０２ａと、上記凹部２０１ｂに嵌合する凸部２０２ｂとが設けられている。その結果、図８に示すように、第１画像形成装置において、画像読取面縦外装カバー２０１Ａ、および、画像読取面横外装カバー２０２Ａとは、相互の嵌合する凹凸部が設けられることにより、両者の端部での突き合わせが可能な構造になっている。
【００４８】
図９を参照して、画像読取面縦外装カバー２０１Ｂ、および、画像読取面横外装カバー２０２Ｂとの内観視における構造について説明する。画像読取面縦外装カバー２０１Ｂの端部２０１ｐ、および、画像読取面横外装カバー２０２Ｂの端部２０２ｐのいずれにも凹凸形状は設けられていない。その結果、図９に示すように、第２画像形成装置において、画像読取面縦外装カバー２０１Ｂと画像読取面横外装カバー２０２Ｂとは、両者の端部の突き合わせが可能な構造になっている。
【００４９】
ここで、画像読取面縦外装カバー２０１Ａと画像読取面横外装カバー２０２Ｂとを組み合わせたとしても、凸部２０１ａが端部２０２ｐに当接し、画像読取面縦外装カバー２０１Ａと画像読取面横外装カバー２０２Ｂとを組み合わせて、第１外装カバーまたは第２外装カバーとして用いることはできない。
【００５０】
同様に、画像読取面縦外装カバー２０１Ｂと画像読取面横外装カバー２０２Ａとを組み合わせたとしても、凸部２０１ｂが端部２０１ｐに当接し、画像読取面縦外装カバー２０１Ｂと画像読取面横外装カバー２０２Ａとを組み合わせて、第１外装カバーまたは第２外装カバーとして用いることはできない。
【００５１】
このようにして、外観形状が同じ２種の画像形成装置の第１外装カバー、および、第２外装カバーにおいて、外装カバーの搭載間違いの発生を防止することが可能となる。
【００５２】
［中間部側面外装カバー、および、中間部側面柱外装カバー］
図１０から図１３を参照して、中間部側面外装カバー、および、中間部側面柱外装カバーの構造について説明する。図１０は、第１および第２画像形成装置の中間部側面外装カバー３０１Ａ，Ｂ、および、中間部側面柱外装カバー３０２Ａ、Ｂの重ね合わせ部を外観視した図である。図１１は、第１および第２画像形成装置の中間部側面外装カバー３０１Ａ，Ｂ、および、中間部側面柱外装カバー３０２Ａ，Ｂの重ね合わせ部を内観視した図、図１２は、第１画像形成装置の中間部側面外装カバー３０１Ａ、および、中間部側面柱外装カバー３０２Ａの重ね合わせ部を内観視した図、図１３は、第２画像形成装置の中間部側面外装カバー３０１Ｂ、および、中間部側面柱外装カバー３０２Ｂの重ね合わせ部を内観視した図である。
【００５３】
中間部側面外装カバー３０１Ａが第１Ａ構成カバーに相当し、中間部側面柱外装カバー３０２Ａが第２Ａ構成カバーに相当し、両者により第１外装カバーを構成する。中間部側面外装カバー３０１Ｂが第１Ｂ構成カバーに相当し、中間部側面柱外装カバー３０２Ｂが第２Ｂ構成カバーに相当し、両者により第２外装カバーを構成する。
【００５４】
なお、中間部側面柱外装カバー３０２Ａ，３０２Ｂは、通常の使用状態においては、上記した上部側面柱外装カバー１０２Ａ，１０２Ｂにより覆われているが、中間部側面柱外装カバー３０２Ａ，３０２Ｂは内部機器を保護するものであることから外装カバーに相当する。
【００５５】
たとえば、第１外装カバーの中間部側面外装カバー３０１Ａには、樹脂（非再生樹脂）が用いられ、第２外装カバーの中間部側面外装カバー３０１Ｂには、再生樹脂材（リサイクル樹脂）が用いられる。よって、第１外装カバーと第２外装カバーとには、異なる材料が用いられている。再生樹脂材（リサイクル樹脂）としては、再生ＰＥＴにＰＣ（ポリカーボネート）を組み合わせた樹脂（再生ＰＣ／ＰＥＴ）が挙げられる。中間部側面柱外装カバー３０２Ａ，３０２Ｂは板金製である。
【００５６】
図１０を参照して、第１画像形成装置と第２画像形成装置とにおいては、中間部側面外装カバー３０１Ａと中間部側面外装カバー３０１Ｂとは外観において同一の形状を有し、中間部側面柱外装カバー３０２Ａと中間部側面柱外装カバー３０２Ｂとは同一の外観形状を有している。
【００５７】
図１２を参照して、中間部側面外装カバー３０１Ａ、および、中間部側面柱外装カバー３０２Ａとの内観視における構造について説明する。中間部側面柱外装カバー３０２Ａの下端部と中間部側面外装カバー３０１Ａとは相互に重ね合わされるように用いられている。中間部側面外装カバー３０１Ａには、突起３０１ａが設けられ、中間部側面柱外装カバー３０２Ａには、突起３０１ａが嵌合する孔３０２ａが設けられている。
【００５８】
その結果、図１２に示すように、第１画像形成装置において、中間部側面外装カバー３０１Ａと中間部側面柱外装カバー３０２Ａとは、孔３０２ａに突起３０１ａが嵌合することにより、両者の間に隙間を形成することなく重ね合わせられことが可能な構造になっている。
【００５９】
図１３を参照して、中間部側面外装カバー３０１Ｂ、および、中間部側面柱外装カバー３０２Ｂとの内観視における構造について説明する。中間部側面柱外装カバー３０２Ｂの下端部と中間部側面外装カバー３０１Ｂとは相互に重ね合わされるように用いられている。中間部側面外装カバー３０１Ｂには、突起３０１ａが設けられ、中間部側面柱外装カバー３０２Ａには、突起３０１ａが嵌合する孔３０２ａが設けられている。
【００６０】
その結果、図１３に示すように、第２画像形成装置において、中間部側面外装カバー３０１Ｂと中間部側面柱外装カバー３０２Ｂとは、孔３０２ａに突起３０１ａが嵌合することにより、両者の間に隙間を形成することなく重ね合わせられことが可能な構造になっている。なお、突起３０１ａ、および、孔３０２ａが設けられる位置は、上記中間部側面外装カバー３０１Ａ、および、中間部側面柱外装カバー３０２Ａとは異なる位置である。
【００６１】
ここで、中間部側面外装カバー３０１Ａと中間部側面柱外装カバー３０２Ｂとを組み合わせたとしても、突起３０１ａが中間部側面柱外装カバー３０２Ｂに当接し、中間部側面外装カバー３０１Ａと中間部側面柱外装カバー３０２Ｂとを組み合わせて、第１外装カバーまたは第２外装カバーとして用いることはできない。
【００６２】
同様に、中間部側面外装カバー３０１Ｂと中間部側面柱外装カバー３０２Ａとを組み合わせたとしても、突起３０１ａが中間部側面柱外装カバー３０２Ａに当接し、中間部側面外装カバー３０１Ｂと中間部側面柱外装カバー３０２Ａとを組み合わせて、第２外装カバーまたは第２外装カバーとして用いることはできない。
【００６３】
このようにして、外観形状が同じ２種の画像形成装置の第１外装カバー、および、第２外装カバーにおいて、外装カバーの搭載間違いの発生を防止することが可能となる。
【００６４】
［排出用紙天面外装カバー、および、第１および第２中間部側面外装カバー］
図１４から図１８を参照して、排出用紙天面外装カバー、および、第１および第２中間部側面外装カバーの構造について説明する。図１４は、第１および第２画像形成装置の左側面側から見た第４部分斜視図、図１５は、図１４において、排出用紙保持台４０２を取り外した状態を示す部分斜視図、図１６は、図１５において、第１中間部側面外装カバー５０１を取り外した状態を示す部分斜視図、図１７は、第１画像形成装置の排出用紙天面外装カバー４４１Ａ、および、第２中間部側面外装カバー４４２Ａの突き合わせ部を外観視した図、図１８は、第２画像形成装置の排出用紙天面外装カバー４４１Ｂ、および、第２中間部側面外装カバー４４２Ｂの突き合わせ部を外観視した図である。
【００６５】
排出用紙天面外装カバー４４１Ａが第１Ａ構成カバーに相当し、第１中間部側面外装カバー５０１Ａおよび第２中間部側面外装カバー４４２Ａが第２Ａ構成カバーに相当し、両者により第１外装カバーを構成する。排出用紙天面外装カバー４４１Ｂが第１Ｂ構成カバーに相当し、第１中間部側面外装カバー５０１Ｂおよび第２中間部側面外装カバー４４２Ｂが第２Ｂ構成カバーに相当し、両者により第２外装カバーを構成する。
【００６６】
なお、排出用紙天面外装カバー４４１Ａ，４４１Ｂは、通常の使用状態においては、排出用紙保持台４０２により覆われているが、排出用紙天面外装カバー４４１Ａ，４４１Ｂは内部機器を保護するものであることから外装カバーに相当する。また、第２中間部側面外装カバー４４２Ａ，４４２Ｂは、通常の使用状態においては、第１中間部側面外装カバー５０１Ａ，５０１Ｂにより覆われているが、第２中間部側面外装カバー４４２Ａ，４４２Ｂは、内部機器を保護するものであることから、第１中間部側面外装カバー５０１Ａ，５０１Ｂおよび第２中間部側面外装カバー４４２Ａ，４４２Ｂにより外装カバーが構成される。
【００６７】
たとえば、第１外装カバーの第１中間部側面外装カバー５０１Ａには、樹脂（非再生樹脂）が用いられ、第２外装カバーの第１中間部側面外装カバー５０１Ｂには、再生樹脂材（リサイクル樹脂）が用いられる。よって、第１外装カバーと第２外装カバーとには、異なる材料が用いられている。再生樹脂材（リサイクル樹脂）としては、再生ＰＥＴにＰＣ（ポリカーボネート）を組み合わせた樹脂（再生ＰＣ／ＰＥＴ）が挙げられる。
【００６８】
なお、第１外装カバーの排出用紙天面外装カバー４４１Ａ、および、第２中間部側面外装カバー４４２Ａには、板金が用いられ、第２外装カバーの排出用紙天面外装カバー４４１Ｂ、および、第２中間部側面外装カバー４４２Ｂにも板金が用いられている。
【００６９】
図１５および図１６を参照して、第１画像形成装置と第２画像形成装置とにおいては、排出用紙天面外装カバー４４１Ａと排出用紙天面外装カバー４４１Ｂとは外観において同一の形状を有し、第１中間部側面外装カバー５０１は相互に同じ形状を有し、第１中間部側面外装カバー５０１を取り外した場合の第２中間部側面外装カバー４４２Ａ、および、第２中間部側面外装カバー４４２Ｂは、内観において一部異なる外観形状を有している。
【００７０】
図１７を参照して、排出用紙天面外装カバー４４１Ａ、および、第２中間部側面外装カバー４４２Ａとの内観視における構造について説明する。排出用紙天面外装カバー４４１Ａの端部と第２中間部側面外装カバー４４２Ａとは角部において突き合わされるように用いられている。排出用紙天面外装カバー４４１Ａには、凸部４４１ａ，４４１ｂが設けられ、第２中間部側面外装カバー４４２Ａの端部には、凸部４４１ａ，４４１ｂが嵌合する凹部４４２ａ，４４２ｂが設けられている。その結果、図１７に示すように、第１画像形成装置において、排出用紙天面外装カバー４４１Ａと第２中間部側面外装カバー４４２Ａとは、凹部４４２ａ，４４２ｂに凸部４４１ａ，４４１ｂが嵌合することにより、両者の端部での突き合わせが可能な構造になっている。
【００７１】
図１８を参照して、排出用紙天面外装カバー４４１Ｂ、および、第２中間部側面外装カバー４４２Ｂとの内観視における構造について説明する。排出用紙天面外装カバー４４１Ｂの端部と第２中間部側面外装カバー４４２Ｂとは角部において突き合わされるように用いられている。排出用紙天面外装カバー４４１Ｂには、凸部４４１ａが設けられ、第２中間部側面外装カバー４４２Ｂの端部には、凸部４４１ａが嵌合する凹部４４２ａが設けられている。その結果、図１８に示すように、第２画像形成装置において、排出用紙天面外装カバー４４１Ｂと第２中間部側面外装カバー４４２Ｂとは、凹部４４２ａに凸部４４１ａが嵌合することにより、両者の端部での突き合わせが可能な構造になっている。なお、第１画像形成装置に設けられる凹凸と、第２画像形成装置に設けられる凹凸とは、幅、および、高さにおいて異なる形状が採用されている。
【００７２】
ここで、排出用紙天面外装カバー４４１Ａと第２中間部側面外装カバー４４２Ｂとを組み合わせたとしても、凸部４４１ａ，４４１ｂは、凹部４４２ａに嵌合できない。同様に、排出用紙天面外装カバー４４１Ｂと第２中間部側面外装カバー４４２Ａとを組み合わせたとしても、凸部４４１ａは、凹部４４２ａ、４４２ｂに嵌合できない。
【００７３】
このようにして、外観形状が同じ２種の画像形成装置の第１外装カバー、および、第２外装カバーにおいて、外装カバーの搭載間違いの発生を防止することが可能となる。
【００７４】
［排出用紙天面外装カバー、および、第１および第２中間部側面外装カバー］
図１９から図２３を参照して、正面開閉外装パネル、および、第１中間部側面外装カバー５０１の構造について説明する。図１９は、第１および第２画像形成装置の正面開閉外装パネル５０２Ａ，５０２Ｂ、および、第１中間部側面外装カバー５０１Ａ，５０１Ｂを示す斜視図、図２０は、第１および第２画像形成装置の正面開閉外装パネル５０２Ａ，５０２Ｂ、および、第１中間部側面外装カバー５０１Ａ，５０１Ｂのみを取りだした外観斜視図、図２１は、第１および第２画像形成装置の正面開閉外装パネル５０２Ａ，５０２Ｂ、および、第１中間部側面外装カバー５０１Ａ，５０１Ｂのみを取りだした内観斜視図、図２２は、第１画像形成装置の正面開閉外装パネル５０２Ａ、および、第１中間部側面外装カバー５０１Ａのみを取りだした内観斜視図、図２３は、第２画像形成装置の正面開閉外装パネル５０２Ｂ、および、第１中間部側面外装カバー５０１Ｂのみを取りだした内観斜視図である。
【００７５】
第１中間部側面外装カバー５０１Ａが第１Ａ構成カバーに相当し、正面開閉外装パネル５０２Ａが第２Ａ構成カバーに相当し、両者により第１外装カバーを構成する。第１中間部側面外装カバー５０１Ｂが第１Ｂ構成カバーに相当し、正面開閉外装パネル５０２Ａが第２Ｂ構成カバーに相当し、両者により第２外装カバーを構成する。
【００７６】
たとえば、第１外装カバー（第１中間部側面外装カバー５０１Ａ、および、正面開閉外装パネル５０２Ａ）は、樹脂（非再生樹脂）が用いられ、第２外装カバー（第１中間部側面外装カバー５０１Ｂ、および、正面開閉外装パネル５０２Ｂ）には、再生樹脂材（リサイクル樹脂）が用いられる。よって、第１外装カバーと第２外装カバーとには、異なる材料が用いられている。再生樹脂材（リサイクル樹脂）としては、再生ＰＥＴにＰＣ（ポリカーボネート）を組み合わせた樹脂（再生ＰＣ／ＰＥＴ）が挙げられる。
【００７７】
図２０を参照して、第１画像形成装置と第２画像形成装置とにおいては、第１中間部側面外装カバー５０１Ａと第１中間部側面外装カバー５０１Ｂとは外観において同一の形状を有し、正面開閉外装パネル５０２Ａと正面開閉外装パネル５０２Ｂとは外観において同一の形状を有している。
【００７８】
図２１および図２２を参照して、第１中間部側面外装カバー５０１Ａと正面開閉外装パネル５０２Ａと両端部における突き合わせ部における構造について説明する。第１中間部側面外装カバー５０１Ａと正面開閉外装パネル５０２Ａとは両端部において突き合わされるように用いられている。第１中間部側面外装カバー５０１Ａには、凸部５０１ａ、および、凹部５０１ｂが設けられ、正面開閉外装パネル５０２Ａには、凹部５０１ｂに嵌合する凸部５０２ａ、および、凸部５０１ａに嵌合する凹部５０２ｂが設けられている。また、正面開閉外装パネル５０２Ａの凹部５０２ｂが設けられる領域には、補強リブ５０２ｃが設けられている。補強リブ５０２ｃの本数は使用する材料の強度に応じて適宜変更される。材料の強度が弱い程、設けられる補強リブの本数は多くなる。
【００７９】
その結果、図２２に示すように、第１画像形成装置において、第１中間部側面外装カバー５０１Ａと正面開閉外装パネル５０２Ａとは、凸部５０１ａおよび凹部５０１ｂと凸部５０２ａおよび凸部５０１ａとが相互に嵌合することで、両者の両端部での突合せが可能な構造になっている。
【００８０】
図２３を参照して、第１中間部側面外装カバー５０１Ｂと正面開閉外装パネル５０２Ｂと両端部における突き合わせ部における構造について説明する。第１中間部側面外装カバー５０１Ｂと正面開閉外装パネル５０２Ｂとは両端部において突き合わされるように用いられている。第１中間部側面外装カバー５０１Ｂには、凸部５０１ａ、および、凹部５０１ｂが設けられ、正面開閉外装パネル５０２Ｂには、凹部５０１ｂに嵌合する凸部５０２ａ、および、凸部５０１ａに嵌合する凹部５０２ｂが設けられている。また、正面開閉外装パネル５０２Ｂの凸部５０２ａが設けられる領域には、補強リブ５０２ｃが設けられている。補強リブ５０２ｃの本数は使用する材料の強度に応じて適宜変更される。なお、上述の第１画像形成装置とは異なる本数を採用している。
【００８１】
その結果、図２３に示すように、第２画像形成装置において、第１中間部側面外装カバー５０１Ｂと正面開閉外装パネル５０２Ｂとは、凸部５０１ａおよび凹部５０１ｂと凸部５０２ａおよび凸部５０１ａとが相互に嵌合することで、両者の両端部での突合せが可能な構造になっている。
【００８２】
［刻印］
次に、図２４（Ａ），（Ｂ）を参照して、第１画像形成装置に用いられる第１外装カバーに用いられる刻印と、第２画像形成装置に用いられる第２外装カバーに用いられる刻印との相違について説明する。図２４（Ａ）は、第１画像形成装置側の部品に付される刻印を示す図であり、（Ｂ）は、第２画像形成装置側の部品に付される刻印を示す図である。
【００８３】
図２４（Ａ），（Ｂ）を参照して、例えば、製品番号「７ＰＵ１６１１」を、第１外装および第２外装カバーにおいては共通にし、製品番号の頭に第１画像形成装置用の第１外装カバーであれば「Ａ」を付し、第２画像形成装置用の第２外装カバーであれば「Ｂ」を付すなどして、第１画像形成装置用であるか第２画像形成装置用であるかを、目視により確認することができるようにしておくとよい。第１画像形成装置に用いられる第１外装カバーに用いられる刻印と、第２画像形成装置に用いられる第２外装カバーに用いられる刻印とを異ならせる手段としては、図２４に記載の方法に限定されることはなく、様々な手段を用いることができる。刻印の種類として、材料記号、部品番号等を用いてもよい。
【００８４】
［金型］
次に、図２５および図２６を参照して、第１画像形成装置用の第１外装カバーを製造する際に用いる金型、および、第２画像形成装置用の第２外装カバーを製造する際に用いる金型について、一例として、図５および図６を用いて説明した、上部側面柱外装カバー１０２Ａ、および、上部側面柱外装カバー１０２Ｂを製造する際に用いる金型について説明する。
【００８５】
上部側面柱外装カバー１０２Ａ、および、上部側面柱外装カバー１０２Ｂの構造の相違点は、上部側面柱外装カバー１０２Ａには、その上辺に、凸部１０２ａおよび凹部１０２ｂが設けられるのに対して、上部側面柱外装カバー１０２Ｂは、その上辺には凹凸は設けられていない点にある。
【００８６】
そこで、上部側面柱外装カバー１０２Ａ、および、上部側面柱外装カバー１０２Ｂを成型する金型として、同じ形状の本体樹脂成型金型６０１と、上部側面柱外装カバー１０２Ａ、および、上部側面柱外装カバー１０２Ｂの形状の相違箇所についてのみ取りかえ可能な入れ子６０２Ａ，６０２Ｂとを用いる。
【００８７】
図２５においては、上部側面柱外装カバー１０２Ａを成型するために、本体樹脂成型金型６０１と、凸部１０２ａおよび凹部１０２ｂを成型するために凹部６０１ａ装着された入れ子６０２Ａとが用いられている。
【００８８】
図２６においては、上部側面柱外装カバー１０２Ｂを成型するために、本体樹脂成型金型６０１と、凸部１０２ａおよび凹部１０２ｂを成型する必要がないために、凹部６０１ａに入れ子６０２Ｂが装着されている。
【００８９】
このように、共通形状部分については同一の樹脂成型金型を用いることで、金型に要する費用を削減して、カバーの製造に要する費用の削減を可能としている。なお、上記した他のカバーについても同様である。
【００９０】
今回開示された実施の形態はすべての点で例示であって制限的なものではないと考えられるべきである。本発明の範囲は上記した説明ではなくて特許請求の範囲によって示され、特許請求の範囲と均等の意味、および、範囲内でのすべての変更が含まれることが意図される。
【符号の説明】
【００９１】
１００  画像形成装置、１０１  装置本体、１０１Ａ，１０１Ｂ  スキャナー部側面外装カバー、１０１ａ，１０１ｂ  リブ、１０１ｃ，１０２ａ，２０１ａ，２０１ｂ，２０２ｂ，４４１ａ，４４１ｂ，５０１ａ，５０２ａ  凸部、１０２，１０３，１０４  給紙カセット、１０２Ａ，１０２Ｂ  上部側面柱外装カバー、１０２ｂ，２０１ｂ，２０２ａ，４４２ａ，４４２ｂ，５０１ｂ，５０２ｂ，６０１ａ  凹部、１０２ｐ  段部、１０５  給紙ローラー、１０７Ｃ，１０７Ｋ，１０７Ｍ，１０７Ｙ  現像器ユニット、１０８Ｃ，１０８Ｋ，１０８Ｍ，１０８Ｙ  感光体ユニット、１０９  中間転写ベルト、１１０  レジストローラー、１１２  ２次転写ローラー、１１３  定着部、１１４  排紙トレイ、１１６  手差しトレイ、１４０  スキャナー部、２０１Ａ，２０１Ｂ  画像読取面縦外装カバー、２０１ｐ，２０２ｐ  端部、２０２Ａ，２０２Ｂ  画像読取面横外装カバー、３０１Ａ，３０１Ｂ  中間部側面外装カバー、３０１ａ  突起、３０２Ａ，３０２Ｂ  中間部側面柱外装カバー、３０２ａ  孔、４０２  排出用紙保持台、４４１Ａ，４４１Ｂ  排出用紙天面外装カバー、４４２Ａ，４４２Ｂ  第２中間部側面外装カバー、５０１Ａ，５０１Ｂ  第１中間部側面外装カバー、５０２Ａ，５０２Ｂ  正面開閉外装パネル、５０２ｃ  補強リブ、６０１  本体樹脂成型金型、６０２Ａ，６０２Ｂ  入れ子。
【図１】
0006432390.tif 000002
【図２】
0006432390.tif 000003
【図３】
0006432390.tif 000004
【図４】
0006432390.tif 000005
【図５】
0006432390.tif 000006
【図６】
0006432390.tif 000007
【図７】
0006432390.tif 000008
【図８】
0006432390.tif 000009
【図９】
0006432390.tif 000010
【図１０】
0006432390.tif 000011
【図１１】
0006432390.tif 000012
【図１２】
0006432390.tif 000013
【図１３】
0006432390.tif 000014
【図１４】
0006432390.tif 000015
【図１５】
0006432390.tif 000016
【図１６】
0006432390.tif 000017
【図１７】
0006432390.tif 000018
【図１８】
0006432390.tif 000019
【図１９】
0006432390.tif 000020
【図２０】
0006432390.tif 000021
【図２１】
0006432390.tif 000022
【図２２】
0006432390.tif 000023
【図２３】
0006432390.tif 000024
【図２４】
0006432390.tif 000025
【図２５】
0006432390.tif 000026
【図２６】
0006432390.tif 000027